(57)【要約】【課題】移動通信端末ごとにその使用環境に応じた適切なスキップ処理を行えるようにし、これにより待ち受け状態における消費電力を効果的に削減する。【解決手段】  基地局が移動通信端末に対しページングデータを予め設定した送信周期で複数回繰り返し送信し、移動通信端末が待ち受け状態において上記送信周期に対応して定められる第１の間欠受信周期で起床期間を設定してページングデータを受信する移動通信システムで使用される移動通信端末において、上記起床期間ごとに、上記基地局から送信された信号の受信品質をＥｓ検出器６１で検出して、この検出された受信品質の安定度をＥｓ判定部７１とカウンタ７２で測定する。そして、ステップ判定部７３により、上記測定された安定度がしきい値を超えると判定された場合に、上記第１の間欠受信周期を当該第１の間欠受信周期より長い第２の間欠受信周期に変更する。【選択図】      図１
2005260906.tif 000002
【特許請求の範囲】
【請求項１】
ページングデータを予め設定した送信周期で複数回繰り返し送信する基地局と、待ち受け状態において前記送信周期に対応して定められる第１の間欠受信周期で起床期間とスリープ期間とを交互に設定し、前記設定された起床期間に前記基地局から送信されるページングデータを受信する移動通信端末とを備える移動通信システムで使用される前記移動通信端末であって、
前記起床期間ごとに、前記基地局から送信された信号の受信品質を検出する手段と、
前記検出された受信品質の安定度を測定する手段と、
前記測定された安定度がしきい値を超える場合に、前記第１の間欠受信周期を当該第１の間欠受信周期より長い第２の間欠受信周期に変更する手段と
を具備することを特徴とする移動通信端末。
【請求項２】
前記安定度を測定する手段は、
前記検出された受信品質をしきい値と比較する手段と、
前記受信品質がしきい値以上と判定された回数をカウントする手段と
前記カウントする手段によるカウント値に基づいて、前記受信品質が予め定めた数の起床期間にわたり連続して前記しきい値以上となったか否かを判定する手段と
を備え、
かつ前記変更する手段は、
前記判定する手段により、前記受信品質が予め定めた数の起床期間にわたり連続して前記しきい値以上となったと判定された場合に、前記第１の間欠受信周期を当該第１の間欠受信周期より長い第２の間欠受信周期に変更することを特徴とする請求項１記載の移動通信端末。
【請求項３】
前記変更する手段は、
前記送信周期Ｔと、同期確立先の基地局を切り替えるためのリセレクション処理に必要な時間とをもとに、前記基地局によるページングデータの繰り返し送信回数Ｎを推定する手段と、
前記送信周期Ｔと、前記推定された繰り返し送信回数Ｎとをもとに、前記第２の間欠受信周期ＴSkipをＴSkip＝Ｎ×Ｔに設定する手段と
を備えることを特徴とする請求項１記載の移動通信端末。
【請求項４】
前記変更する手段は、
着信完了率と低消費電力とのうちいずれを優先するかを表す指示情報を受け取る手段と、
前記受け取った指示情報が低消費電力を優先するものだった場合に、前記第２の間欠受信周期ＴSkipをＴSkip＝Ｋ×Ｎ×Ｔ（Ｋは整数）に設定する手段と
を備えることを特徴とする請求項１記載の移動通信端末。
【請求項５】
前記変更する手段は、
前記測定された安定度を、第１のしきい値及び当該第１のしきい値より高く設定された第２のしきい値とそれぞれ比較する手段と、
前記測定された安定度が第１のしきい値を超える場合に、前記第１の間欠受信周期を当該第１の間欠受信周期より長い第２の間欠受信周期に変更する手段と、
前記測定された安定度が第２のしきい値を超える場合に、前記第１の間欠受信周期を前記第２の間欠受信周期より長い第３の間欠受信周期に変更する手段と
を備えることを特徴とする請求項１記載の移動通信端末。
【請求項６】
前記基地局から、ページングデータの送信周期を表す情報を取得する手段と、
前記取得された送信周期を予め定められた上限値と比較する手段と、
前記比較の結果、前記取得された送信周期が上限値を超えている場合には前記第１の間欠受信周期の変更を禁止する手段と
を、さらに具備することを特徴とする請求項１記載の移動通信端末。
【請求項７】
前記基地局から自端末宛てのページングデータが受信された場合に着信制御を実行する手段と、
前記着信制御が実行された場合に、前記起床期間の間欠受信周期を前記第２の間欠受信周期から前記第１の間欠受信周期に戻す手段と
を、さらに具備することを特徴とする請求項１記載の移動通信端末。
【請求項８】
同期確立先の基地局を変更するリセレクション処理を実行する手段と、
前記リセレクション処理が実行された場合に、前記起床期間の間欠受信周期を前記第２の間欠受信周期から前記第１の間欠受信周期に戻す手段と
を、さらに具備することを特徴とする請求項１記載の移動通信端末。
【請求項９】
第１の間欠受信周期で起床期間とスリープ期間とを交互に設定し、前記設定された起床期間に基地局から送信されるページングデータを受信する過程と、
前記起床期間ごとに、前記基地局から送信された信号の受信品質を検出する過程と、
前記検出された受信品質の安定度を測定する過程と、
前記測定された安定度がしきい値を超える場合に、前記第１の間欠受信周期を当該第１の間欠受信周期より長い第２の間欠受信周期に変更する過程と
を具備することを特徴とする移動通信端末の間欠受信方法。
【請求項１０】
前記安定度を測定する過程は、
前記検出された受信品質をしきい値と比較する過程と、
前記受信品質がしきい値以上と判定された回数をカウントする過程と
前記カウント値に基づいて、前記受信品質が予め定めた数の起床期間にわたり連続して前記しきい値以上となったか否かを判定する過程と、
を備え、
かつ前記変更する過程は、
前記判定する手段により、前記受信品質が予め定めた数の起床期間にわたり連続して前記しきい値以上となったと判定された場合に、前記第１の間欠受信周期を当該第１の間欠受信周期より長い第２の間欠受信周期に変更する過程を備えることを特徴とする請求項９記載の移動通信端末の間欠受信方法。
【請求項１１】
前記変更する過程は、
前記基地局がページングデータを繰り返し送信する周期Ｔと、同期確立先の基地局を切り替えるためのリセレクション処理に必要な時間とをもとに、前記基地局によるページングデータの繰り返し送信回数Ｎを推定する過程と、
前記送信周期Ｔと、前記推定された繰り返し送信回数Ｎとをもとに、前記第２の間欠受信周期ＴSkipをＴSkip＝Ｎ×Ｔに設定する過程と
を備えることを特徴とする請求項９記載の移動通信端末の間欠受信方法。
【請求項１２】
前記変更する過程は、
着信完了率と低消費電力とのうちいずれを優先するかを表す指示情報を受け取る過程と、
前記受け取った指示情報が低消費電力を優先するものだった場合に、前記第２の間欠受信周期ＴSkipをＴSkip＝Ｋ×Ｎ×Ｔ（Ｋは整数）に設定する過程と
を備えることを特徴とする請求項９記載の移動通信端末の間欠受信方法。
【請求項１３】
前記変更する過程は、
前記測定された安定度を第１のしきい値及び当該第１のしきい値より高く設定された第２のしきい値とそれぞれ比較する過程と、
前記測定された安定度が第１のしきい値を超える場合に、前記第１の間欠受信周期を当該第１の間欠受信周期より長い第２の間欠受信周期に変更する過程と、
前記測定された安定度が第２のしきい値を超える場合に、前記第１の間欠受信周期を前記第２の間欠受信周期より長い第３の間欠受信周期に変更する過程と
を備えることを特徴とする請求項９記載の移動通信端末の間欠受信方法。
【請求項１４】
前記基地局から、ページングデータの送信周期を表す情報を取得する過程と、
前記取得された送信周期を予め定められた上限値と比較する過程と、
前記比較の結果、前記取得された送信周期が上限値を超えている場合には、前記第１の間欠受信周期の変更を禁止する過程と
を、さらに具備することを特徴とする請求項９記載の移動通信端末の間欠受信方法。
【請求項１５】
前記基地局から自端末宛てのページングデータが受信された場合に着信制御を実行する過程と、
前記着信制御が実行された場合に、前記起床期間の間欠受信周期を前記第１の間欠受信周期に戻す過程と
を、さらに具備することを特徴とする請求項９記載の移動通信端末の間欠受信方法。
【請求項１６】
同期確立先の基地局を変更するリセレクション処理を実行する過程と、
前記リセレクション処理が実行された場合に、前記起床期間の間欠受信周期を前記第１の間欠受信周期に戻す過程と
を、さらに具備することを特徴とする請求項９記載の間欠受信方法。
【発明の詳細な説明】
【技術分野】
【０００１】
この発明は、例えば自動車・携帯電話システムや無線ＬＡＮ等の無線通信システムで使用される移動通信端末に係わり、特に待ち受け期間中に間欠受信動作（Discontinuous Reception Sequence）を行う移動通信端末とその間欠受信方法に関する。
【背景技術】
【０００２】
セルラ移動通信ネットワークシステムは、サービスエリアに複数の基地局（Base Station）を分散配置し、これらの基地局によりそれぞれセルと呼ばれる無線ゾーンを形成する。そして、これらのセルごとに基地局と移動通信端末との間の無線接続を行う。この種のシステムでは、移動通信端末で電源が投入されると、当該移動通信端末と最寄りの基地局との間で同期が確立される。また移動通信端末がセル間を移動した場合には、同期確立先の基地局を切り替えるリセレクション処理が行われ、これにより移動先の基地局との間で同期が確立される。そして、同期確立後に移動通信端末は待ち受け状態（Standby State）に移行する。
【０００３】
ところで、待ち受け状態において移動通信端末は間欠受信動作を行う。間欠受信動作は、ウエークアップ期間とスリープ期間とを一定の待ち受け周期で交互に設定することにより、移動通信端末の消費電力を低減するものである。ウエークアップ期間は、基地局がページングチャネル（ＰＣＨ）により送信する複数のフレームのうち、移動通信端末に割り当てられたフレームの受信期間に設定される。他のフレームの受信期間はスリープ期間となる。
【０００４】
例えば、3GPP（3rd Generation Partnership Project）に準拠したＷＣＤＭＡ（Wideband Code Division Multiple Access）方式を採用した移動通信システムでは、基地局からＰＣＨにより送信される０〜４０９５フレームのうち、移動通信端末が自己に割り当てられたフレームを２５６フレーム周期で受信する。しかし、ＰＣＨのフレームに挿入された着信データ（Paging data）を受信するには、自己宛ての着信データが挿入されていない場合でも、その都度デインタリーブ及びビタビ復号処理が必要となる。このため、ウエークアップ期間の消費電力は大きくなる。なお、Ｗ−ＣＤＭＡ方式を採用した移動通信端末における間欠受信動作は、例えば非特許文献１に記載されている。
【０００５】
上記消費電力を減らす技術として、伝送路環境が安定している場合にウエークアップ期間をスキップする技術がある。この技術は、例えば基地局が移動通信端末をグループ単位で管理し、任意のグループに対する着信が一定時間以上発生していない場合に、当該グループに属する移動通信端末に対しそれぞれ予告信号を送る。移動通信端末は、上記予告信号が到来した場合に、当該予告信号により指定された回数だけウエークアップ期間をスキップするものである。このようにすると、上記スキップされたウエークアップ期間に相当する分だけ消費電力が減る（例えば、特許文献１を参照。）。
【特許文献１】特開平９−３７３４４号公報。
【非特許文献１】“Ｗ−ＣＤＭＡ用移動機”，雑誌“ＦＵＪＩＴＳＵ”，vol.51，no.1（２０００年１月発行）（第５５ページ）。
【発明の開示】
【発明が解決しようとする課題】
【０００６】
ところが、このような従来の技術は、移動通信端末グループに対する着信監視と、スキップ予告処理を基地局が行わなければならず、基地局の処理負荷が増大する。また、グループ内に着信の頻度が高い移動通信端末が１台でも含まれていると、同じグループ内の他の移動通信端末ではたとえ着信頻度が低くてもスキップが行われない。
【０００７】
この発明は上記事情に着目してなされたもので、その目的とするところは、基地局に依存することなく、移動通信端末ごとにその使用環境に応じた適切なスキップ処理を行えるようにし、これにより待ち受け状態における消費電力を効果的に削減するようにした移動通信端末とその間欠受信方法を提供することにある。
【課題を解決するための手段】
【０００８】
上記目的を達成するためにこの発明は、基地局が移動通信端末に対しページングデータを予め設定した送信周期で複数回繰り返し送信し、移動通信端末が待ち受け状態において上記送信周期に対応して定められる第１の間欠受信周期で起床期間を設定してページングデータを受信する移動通信システムで使用される移動通信端末において、上記起床期間ごとに、上記基地局から送信された信号の受信品質を検出して、この検出された受信品質の安定度を測定する。そして、上記測定された安定度がしきい値を超える場合に、上記第１の間欠受信周期を当該第１の間欠受信周期より長い第２の間欠受信周期に変更する。
【０００９】
したがってこの発明によれば、受信品質の安定度がしきい値を超える場合には、ウエークアップ期間がスキップされることになる。このため、その分移動通信端末の電力消費量が低減され、これによりバッテリ寿命は延長される。一方、ウエークアップ期間がスキップされると、このスキップされたウエークアップ期間に基地局からページングデータが送信されても移動通信端末はこれを受信できなくなるおそれがある。しかしながら、上記間欠受信周期は、基地局によるページングデータの連続送信回数倍に設定されている。このため、ウエークアップ期間のスキップによりページングデータを受信し損なっても、次のウエークアップ期間には再送信された同一のページングデータを確実に受信できる。
【００１０】
すなわち、この発明によれば、着信完了率を高く保持した上で、消費電力を効果的に低減することができる。これは、例えば移動通信端末が机上に放置されている場合のように静止状態にある場合に、特に有効である。
【発明の効果】
【００１１】
要するにこの発明によれば、基地局に依存することなく、移動通信端末ごとにその使用環境に応じた適切なスキップ処理を行えるようにし、これにより待ち受け状態における消費電力を効果的に削減するようにした移動通信端末とその間欠受信方法を提供することができる。
【発明を実施するための最良の形態】
【００１２】
はじめに、3GPPに準拠したＷ−ＣＤＭＡ（Wideband Code Division Multiple Access）方式を採用した移動通信システムにおいて、基地局が待ち受け状態の移動通信端末に向け送信する制御チャネルのフレームフォーマットを説明する。図５はその一例を示す図である。
【００１３】
基地局が待ち受け状態の移動通信端末に向け送信する制御チャネルには、ＰＣＨ（Paging Channel）と、ＰＩＣＨ（Paging Indicator CH）とがある。
【００１４】
ＰＣＨおよびＰＩＣＨはともに、ＳＦＮ（System Frame Number）と呼ばれる０〜４０９５の番号が付された４０９６個のフレームにより構成される。ただし、ＰＣＨおよびＰＩＣＨの送信タイミング間には所定のオフセットが設定されている。０〜４０９５個のフレームは運用上２５６フレームごとに分割される。各移動通信端末にはこの２５６フレームのいずれかが固定的に割り当てられる。
【００１５】
すなわち、基地局から個々の移動通信端末に対しては、２５６フレーム周期（２．５６sec）で信号が繰り返し送信される。したがって、各移動通信端末は、自己に割り当てられたフレームを２５６フレーム周期で間欠受信すればよい。ＰＣＨは、１フレームが１５個のスロットに分割されている。そして、この１５のスロットにビットを分散して挿入することで、ページングデータを送信する。
【００１６】
ＰＩＣＨは、１フレームが１４４個のポジションに分割されている。各移動通信端末にはこのポジションのいずれか一つが割り当てられる。基地局は、移動通信端末に対し当該移動通信端末に割り当てられたポジションを使用してページングインジケータデータ（Paging Indicator data）を送信する。Paging Indicator Dataは、移動通信端末に対しページングの可能性の有無を通知するためのもので、誤り訂正符号化が施されていない。このため移動通信端末は、デインタリーブ処理及びビタビ復号処理を行うことなく、自己に対するページングの可能性の有無を確認できる。
【００１７】
移動通信端末は、起床するとサービング基地局をサーチしたのち、先ず上記ＰＩＣＨによりPaging Indicator Dataを受信する。そして、受信されたPaging Indicator Dataにより自端末宛てのページングの可能性の有無を判定する。判定の結果、可能性が無ければそのままスリープ状態に移行する。これに対し可能性有りと判定された場合には、引き続きＰＣＨを受信してページングデータを受信する。そして、受信されたページングデータをデインタリーブしたのちビタビ復号し、その復号データをもとに自端末宛てのページングであるかどうかを判定する。判定の結果、自端末宛てのページングであると判定されると、移動通信端末は着信制御を実行する。
【００１８】
図１は、この発明に係わる移動通信端末の一実施形態を示すブロック図である。
【００１９】
図示しない基地局から送信された無線信号は、アンテナ１で受信されたのち無線ユニット（radio unit）２に入力される。無線ユニット２は、低雑音増幅器（Low Noise Amplifier）と、周波数変換器（frequency converter）と、直交復調器（quadrature demodulater）とを備える。低雑音増幅器では、上記受信された無線信号が増幅される。周波数変換器及び直交復調器では、上記増幅された無線信号を復調して受信ベースバンド信号に変換する処理が行われる。この受信ベースバンド信号は、アナログ／ディジタル変換器（Ａ／Ｄ）３によりディジタル信号に変換されたのち、復調ユニット４に入力される。
【００２０】
復調ユニット４は、複数のフィンガ回路４１と、ＲＡＫＥ合成器４２とを備える。上記受信ベースバンド信号は異なる伝送経路を介して受信される複数のパスを含んでいる。上記フィンガ回路４１はそれぞれこれらのパスを拡散符号により逆拡散する。ＲＡＫＥ合成器４２は、上記各フィンガ回路４１から出力される各パスの復調信号を、位相を一致させた上でシンボル単位で合成する。
【００２１】
上記ＲＡＫＥ合成器４２から出力されたディジタル復調データはデコーダ（図示せず）に入力される。デコーダは、上記入力されたディジタル復調データに対し誤り訂正復号処理を行った後、スピーチデータに対してはスピーチデコーディングを、また映像データに対してはビデオデコーディングを行う。そして、デコードされたスピーチデータ又は映像データをユーザインタフェースユニット５に入力する。ユーザインタフェースユニット５は、例えばマイク、スピーカ、キー入力デバイス及び表示デバイスを備える。そして、上記デコードされたスピーチデータをスピーカから出力し、一方映像データを表示デバイスに表示する。
【００２２】
ところで、本実施形態の移動通信端末は、ディジタル信号処理部（ＤＳＰ；Digital Signal Processor）６と、中央制御部（ＣＰＵ；Central Processes Unit）７とを備える。これらのＤＳＰ６及びＣＰＵ７は受信系の制御ユニットを構成する。
【００２３】
ＤＳＰ６は、この発明に関係する信号処理機能として、Ｅｓ検出部６１と、Ｅｍ検出部６２と、デインタリーブ・ビタビ復号部６３とを備える。Ｅｓ検出部６１は、上記入力されたディジタル復調信号をもとに、同期確立先のサービング基地局から送信されたパイロット信号の受信レベルＥserve（以後Ｅｓと称する）を検出する。このＥｓは、信号と雑音との比（Ｅｃ／Ｎｏ）を計算することにより得られる。Ｅｍ検出部６２は、周辺に位置する基地局（neighboring base station）のうちサーチ対象の基地局（monitored base station）から送信されたパイロット信号の受信レベルＥmonitor（以後Ｅｍと称する）を検出する。このＥｍも、信号と雑音との比（Ｅｃ／Ｎｏ）を計算することにより得られる。デインタリーブ・ビタビ復号部６３は、ＰＣＨにより受信されたページングデータに対し、デインタリーブ処理及びビタビ復号処理を行う。
【００２４】
ＣＰＵ７は、この発明に関係する制御機能として、Ｅｓ判定部７１と、カウンタ７２と、スキップ判定部７３と、第１の間欠受信制御部７４と、第２の間欠受信制御部７５と、着信制御部７６と、リセレクション制御部７７と、電源制御部７８と、クロック制御部７９とを備えている。
【００２５】
Ｅｓ判定部７１は、ウエークアップするごとに、上記Ｅｓ検出部６１により検出されたＥｓをしきい値Sintraと比較する。そして、Ｅｓ＞Sintraであるか否かを判定する。カウンタ７２は、上記Ｅｓ判定部７１によりＥｓ＞Sintraと判定された回数Ｃskipをカウントする。カウンタ７２のカウント値Ｃskipは、上記Ｅｓ判定部７１によりＥｓ≦Sintraと判定されたとき、着信制御部７６において着信制御が行われたとき、及びリセレクション制御部７７によりリセレクション処理が行われたときにリセットされる。スキップ判定部７３は、ウエークアップするごとに、上記カウンタ７２のカウント値Ｃskipをしきい値Ｎskipと比較する。そして、Ｃskip＜Ｎskipであるか否かを判定する。
【００２６】
第１の間欠受信制御部７４は、サービング基地局から指示された間欠受信周期Ｔが間欠受信周期の上限値Ｔupper以上の場合、上記Ｅｓ判定部７１によりＥｓ≦Sintraと判定されたとき、及び上記スキップ判定部７３によりＣskip＜Ｎskipと判定されたときに、スキップを使用しない第１の間欠受信制御アルゴリズムを実行する。
【００２７】
第２の間欠受信制御部７５は、上記スキップ判定部７３によりＣskip≧Ｎskipと判定されたときに、スキップを使用した第２の間欠受信制御アルゴリズムを実行する。このときスキップを使用した新たな間欠受信周期ＴSkipは次のように設定される。
【００２８】
すなわち、Ｗ−ＣＤＭＡシステムでは基地局どうしが非同期のため、各基地局のＳＮＦ間にはランダムな位相差がある。このため、移動通信端末のリセレクション処理期間中にページングデータが送信されると、当該移動通信端末は自端末宛てのページングデータを受信できなくなるおそれがある。そこで、基地局は一つの移動通信端末宛てのページングデータを複数回連続して送信する。この結果、移動通信端末ではリセレクションによりページングデータを一つ受信し損なっても、次に送信されるページングデータを受信することができる。上記ページングデータの連続送信回数Ｎは、
ＩＮＴ［（間欠受信周期Ｔ×Ｎ）／リセレクション処理時間］＞１
を満足する値に定められる。図６にその設定例を示す。
【００２９】
移動通信端末は、第２の間欠受信制御部７５により、ネットワークシステムで設定された間欠受信周期Ｔとリセレクション処理に必要な時間とから、上記ページングデータの連続送信回数Ｎを推定する。そして、この推定されたＮをもとに、スキップを使用した新たな間欠受信周期ＴSkipを
ＴSkip＝Ｎ×Ｔ
に設定する。このように設定すると、上記スキップを使用したスリープ期間中に自端末宛てのページングデータを受信し損なっても、基地局からＮ回送信されるページングデータのいずれかを受信することが可能となる。
【００３０】
着信制御部７６は、上記デインタリーブ・ビタビ復号部６３により自端末宛のページングデータが受信された場合に、着信報知及び着信応答のための周知の制御を実行する。リセレクション制御部７７は、上記Ｅｓ判定部７１によりＥｓ≦Sintraと判定され、かつ上記Ｅｍ検出部６２により検出されたＥｍの中に上記Ｅｓより一定値以上良好なＥｍがある場合に、同期確立先の基地局を選択し直すリセレクション処理を実行する。
【００３１】
電源制御部７８は、上記第１及び第２の間欠受信制御部７４，７５により決定された起床タイミングにおいて、無線ユニット２及びＡ／Ｄ３に対する電源供給をオンする。また、ウエークアップ期間終了後のスリープ準備処理の実行タイミングにおいて、無線ユニット２及びＡ／Ｄ３に対する電源供給をオフする。クロック制御部７９は、上記第１及び第２の間欠受信制御部７４，７５により決定された起床タイミングにおいて、上記復調ユニット４及びＤＳＰ６に対する動作クロックの供給をオンする。また、ウエークアップ期間終了後のスリープ準備処理の実行タイミングにおいて、上記復調ユニット４及びＤＳＰ６に対する動作クロックの供給をオフする。
【００３２】
次に、以上のように構成された移動通信端末における間欠受信動作を説明する。図２は図１に示した移動通信端末において実行される間欠受信制御アルゴリズムの手順と内容を示すフローチャート、図３は同制御による間欠受信動作を示すタイミング図である。
【００３３】
移動通信端末は、電源の投入或いはセル間移動に応じ、最寄りの基地局との間で同期を確立するための処理を実行する。そして、同期が確立されると以後当該サービング基地局との間で以下のように間欠受信制御アルゴリズムを開始する。
【００３４】
すなわち、ＣＰＵ７ははじめに、間欠受信周期の最大値Ｔupper及び受信品質の安定度を判定するためのしきい値Ｎskipを設定する。しきい値Ｎskipとしては、例えばＮskip＝４８に設定される。
【００３５】
ＣＰＵ７は、次にステップ２ａにおいてネットワークシステムで設定された間欠受信周期Ｔを上記設定された最大値Ｔupperと比較し、スキップを用いた第２の間欠受信制御アルゴリズムを適用することが可能であるか否かを判定する。その理由は、ネットワークシステムが移動通信端末の低消費電力化のために間欠受信周期を延長した場合に、第２の間欠受信制御アルゴリズムを適用するとスリープ期間が長くなり過ぎて、低速クロックの制御等が困難になるからである。
【００３６】
上記比較の結果、Ｔ≧Ｔupperであれば、ＣＰＵ７はスキップを用いた第２の間欠受信制御アルゴリズムの適用は困難と判断し、以後スキップを使用しない第１の間欠受信制御アルゴリズムによる通常の間欠受信制御を実行する。これに対しＴ＜Ｔupperだったとする。この場合ＣＰＵ７はステップ２ｂでカウンタ７２をリセットし、さらにステップ２ｃでＰＣＨがクローズ（着信制御）中でないことを確認したのち、ステップ２ｄによりスリープ移行準備処理を実行してスリープ期間に移行する。
【００３７】
さて、上記スリープ期間中にＣＰＵ７はウエークアップタイミングを監視する。そして、ウエークアップタイミングになると起床処理を実行する。この起床処理では、クロック制御部７９による復調ユニット４及びＤＳＰ６に対する動作クロックの供給開始処理、電源制御部７８による無線ユニット２及びＡ／Ｄ３に対する給電開始処理が行われる。続いてＣＰＵ７は、ステップ２ｅにおいてサービング基地局から到来するパイロット信号の受信レベルＥserveを検出する。そして、ステップ２ｆにおいて、上記検出された受信レベルＥserveを予め設定されたしきい値Sintraと比較する。
【００３８】
この比較の結果、いま仮に受信レベルＥserve≦しきい値Sintraだったとする。この場合ＣＰＵ７は、受信レベルが低いため第２の間欠受信制御アルゴリズムの使用が困難であると判断し、以下のように第１の間欠受信制御アルゴリズムによる通常の間欠受信制御を実行する。
【００３９】
すなわち、ＣＰＵ７はステップ２ｊに移行し、ここで周辺基地局から到来するパイロット信号の受信レベルＥｍを検出する。そして、先に検出されたサービング基地局からのパイロット信号の受信レベルＥserveと、上記検出された周辺基地局からのパイロット信号の受信レベルＥｍとを比較する。この比較の結果、検出されたＥｍの中に上記Ｅｓより一定値以上良好なＥｍがある場合には、リセレクション処理を実行する。そして、リセレクション処理終了後に、ステップ２ｋでカウンタ７２のカウント値Ｃskipをリセットし、さらにステップ２ｍで次のウエークアップタイミングを通常の間欠受信周期Ｔ後に設定する。そして、ステップ２ｃで自端末宛てのページングデータが受信されたか否かを判定し、自端末宛てのページングデータが受信されなければスリープ期間に移行する。このリセレクション処理が行われたときの移動通信端末の動作タイミングと動作内容を、図４の下段に示す。同図に示すようにこの場合の移動通信端末のウエークアップ期間は約１５００msecとなる。
【００４０】
これに対し、上記検出されたＥｍの中に上記Ｅｓより一定値以上良好なＥｍがなかったとする。この場合ＣＰＵ７はリセレクション処理を行わない。そして、ステップ２ｋでカウンタ７２のカウント値Ｃskipをリセットし、さらにステップ２ｍで次のウエークアップタイミングを通常の間欠受信周期Ｔ後に設定する。また、ステップ２ｃで自端末宛てのページングデータが受信されたか否かを判定し、自端末宛てのページングデータが受信されなければスリープ期間に移行する。このときの移動通信端末の動作タイミングと動作内容を図４の中段に示す。同図に示すようにこの場合の移動通信端末のウエークアップ期間は約１００msecとなる。
【００４１】
一方、上記受信レベルの比較により、いま仮に受信レベルＥserve＞しきい値Sintraだったとする。この場合ＣＰＵ７は、受信レベルが高いので第２の間欠受信制御アルゴリズムの使用が可能であると判断し、以下のように第２の間欠受信制御アルゴリズムによるスキップを用いた間欠受信制御を実行する。
【００４２】
すなわち、ＣＰＵ７は先ずステップ２ｇでカウンタ７２のカウント値Ｃskipをインクリメントする。そして、ステップ２ｈにおいて、上記インクリメントされたカウント値Ｃskipをしきい値Ｎskipと比較する。この比較の結果、カウント値Ｃskipがしきい値Ｎskip（＝４８）に達していなければ、ステップ２ｍに移行してここで次のウエークアップタイミングを通常の間欠受信周期Ｔ後に設定する。そして、ステップ２ｃで自端末宛てのページングデータが受信されたか否かを判定し、自端末宛てのページングデータが受信されなければスリープ期間に移行する。このときの移動通信端末の動作タイミングと動作内容を図４の上段に示す。同図に示すようにこのときの移動通信端末のウエークアップ期間は約３０msecとなる。
【００４３】
以後同様に、受信レベルＥserve＞しきい値Sintraを維持していれば、ＣＰＵ７はウエークアップするごとにステップ２ｆから、ステップ２ｇ、ステップ２ｈ、ステップ２ｍ、ステップ２ｃ及びステップ２ｄまでの制御を繰り返す。すなわち、サービング基地局からのパイロット信号の受信品質が良好な状態を保持していれば、ウエークアップするごとにカウンタ７２のカウント値Ｃskipがカウントアップされる。
【００４４】
さて、そうしてカウント値Ｃskipがしきい値Ｎskip（＝４８）に達したとする。そうするとＣＰＵ７は、サービング基地局からのパイロット信号の受信品質は良好で十分安定していると判断し、ステップ２ｉに移行する。そして、スキップを用いた新たな間欠受信周期ＴSkipを設定する。この新たな間欠受信周期ＴSkipは次のように設定される。すなわち、先ずネットワークシステムで設定された間欠受信周期Ｔとリセレクション処理に必要な時間とから、サービング基地局によるページングデータの連続送信回数Ｎを推定する。そして、この推定されたＮをもとに、ＴSkip＝Ｎ×Ｔを計算することにより間欠受信周期ＴSkipを算出し設定する。
【００４５】
例えば、いまネットワークシステムが設定している間欠受信周期Ｔが２５６０msecであり、リセレクション処理時間が１５００msecだとすると、ページングデータの連続送信回数Ｎは図６から明らかなようにＮ＝２である。このため、間欠受信周期ＴSkipは２Ｔに設定される。したがって、次回のウエークアップタイミングは図３に示すように２Ｔ後となる。すなわち、この場合には図３に破線で示したようにウエークアップ期間が１回スキップされることになる。
【００４６】
同様に、間欠受信周期Ｔが１２８０msecの場合には、ページングデータの連続送信回数Ｎは図６から明らかなようにＮ＝３であるため、間欠受信周期ＴSkipは３Ｔに設定される。したがって、次回のウエークアップタイミングは、ウエークアップ期間が２回スキップされて３Ｔ後となる。
【００４７】
以上のようにウエークアップ期間がスキップされると、その分移動通信端末の電力消費量が低減され、これによりバッテリ寿命は延長される。一方、ウエークアップ期間がスキップされると、このスキップされたウエークアップ期間に基地局からページングデータが送信されても移動通信端末をこれを受信できなくなる。しかし、上記したようにスキップを用いた間欠受信周期ＴSkipは、基地局によるページングデータの連続送信回数Ｎ倍に設定されている。このため、例えば図３に示すようにウエークアップ期間のスキップによりページングデータを受信し損なっても、次のウエークアップ期間には再送信された同一のページングデータを確実に受信できる。
【００４８】
なお、上記カウント値Ｃskipがしきい値Ｎskip（＝４８）に達していない状態で、サービング基地局からのパイロット信号の受信レベルＥｓがしきい値Sintra以下に低下したとする。この場合ＣＰＵ７は、ステップ２ｆからステップ２ｊを経てステップ２ｋに移行し、ここでカウンタ７２のカウント値Ｃskipをリセットし、ステップ２ｍにおいて次回のウエークアップタイミングを１周期後に設定する。
【００４９】
すなわち、スキップを用いた第２の間欠受信制御アルゴリズムは、サービング基地局からのパイロット信号の受信品質Ｅserveが４８周期にわたり連続してしきい値Ｎskip以上の場合にのみ、つまり受信品質が良好な状態が十分安定して続いている場合にのみ実行される。したがって、着信完了率を高く保持した上で、消費電力を効果的に低減することができる。これは、例えば移動通信端末が机上に放置されている場合のように静止状態にある場合に、特に有効である。
【００５０】
また、一般に通話期間は間欠受信周期に比べ長いため、通話期間終了後も良好な受信品質が維持されるとは限らない。また、リセレクション処理は受信品質が劣化した時に行われることが多いため、この場合もリセレクション終了後に良好な受信品質が維持される保証はない。しかし本実施形態では、カウント値Ｃskipがしきい値Ｎskip（＝４８）に達していない状態で、自端末宛てのページングデータが検出されて着信制御が実行された場合や、リセレクション制御が実行された場合には、カウンタ７２のカウント値Ｃskipがリセットされる。このため、受信品質が不安定な状態でスキップを用いた第２の間欠受信制御が実行される不具合を未然に回止することができ、これによりスキップを用いた第２の間欠受信制御をより安定な状態で使用することができる。
【００５１】
なお、この発明は上記実施形態に限定されるものではない。例えば、上記実施形態では、受信品質の安定度を判定するためのしきい値ＮskipをＮskip＝４８に設定したが、他の値に設定してもよい。この値は、受信品質が十分安定している期間が少なくとも２分以上となるように設定するのが好ましい。
【００５２】
また前記実施形態では、ページングデータの連続送信回数をＮとするとき、スキップを用いた新たな間欠受信周期ＴSkipをＮ×Ｔに設定した。しかし、着信完了率より低消費電力化を優先する場合には、スキップを用いた新たな間欠受信周期ＴSkipをＫ×Ｎ×Ｔ（Ｋは整数）に設定してもよい。例えば、着信完了率と低消費電力とのうちいずれを優先するかを表す指示情報を、ユーザインタフェースユニット５の入力デバイスから受け付ける。そして、受け取った指示情報が低消費電力を優先するものだった場合に、スキップを用いた新たな間欠受信周期ＴSkipをＫ×Ｎ×Ｔ（Ｋは整数）に設定する。
【００５３】
また、カウント値Ｃskipの増加に応じ、２Ｎ×Ｔ，３Ｎ×Ｔ，４Ｎ×Ｔ，…のように間欠受信周期ＴSkipを長く設定するようにしてもよい。このようにすると、受信品質が良好な状態が長く続いけば続くほど、移動通信端末の消費電力低減効果を高めることがでる。
【００５４】
さらに、前記実施形態では、3GPPに準拠したＷ−ＣＤＭＡ方式を採用した移動通信端末を例にとって説明したが、同様のシーケンスを採用する他の無線通信システムにも、この発明は適用可能である。
【００５５】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５６】
【図１】この発明の一実施形態に係わる移動通信端末の構成を示すブロック図。
【図２】図１に示した移動通信端末において実行される間欠受信制御の手順と内容を示すフローチャート。
【図３】図１に示した移動通信端末において実行される間欠受信動作を説明するためのタイミング図。
【図４】図１に示した移動通信端末によるウエークアップ期間の受信動作を説明するためのタイミング図。
【図５】基地局から送信されるＰＣＨ及びＰＩＣＨのフレームフォーマットを示す図。
【図６】間欠受信周期と連続着信通知回数との関係を示す図。
【符号の説明】
【００５７】
１…アンテナ、２…無線ユニット、３…アナログ／ディジタル変換器（Ａ／Ｄ）、４…復調ユニット、５…ユーザインタフェースユニット、６…ディジタル信号処理部（ＤＳＰ）、７…中央制御部（ＣＰＵ）、４１…フィンガ回路、４２…ＲＡＫＥ合成器、６１…Ｅｓ検出部、６２…Ｅｍ検出部、６３…デインタリーブ・ビタビ復号部、７１…Ｅｓ判定部、７２…カウンタ、７３…スキップ判定部、７４…第１の間欠受信制御部、７５…第２の間欠受信制御部、７６…着信制御部、７７…リセレクション制御部、７８…電源制御部、７９…クロック制御部。
【図１】
2005260906.tif 000003
【図２】
2005260906.tif 000004
【図３】
2005260906.tif 000005
【図４】
2005260906.tif 000006
【図５】
2005260906.tif 000007
【図６】
2005260906.tif 000008